(57)【特許請求の範囲】
【請求項１】
所要部位の前後方向に、貫通する複数の貫通孔が間隔を存して形成された中空主体と、前記各貫通孔と同軸上の中空主体内に固定されるホルダとからなるものであって、
前記中空主体の後面部にブラケットの一方側を当接させるとともに、ブラケットを貫通させた取付ネジを、中空主体の後面部に開口する貫通孔側から挿入し、前記ホルダにネジ止めすることによって、ブラケットを中空主体に固定できるよう構成されたこと
を特徴とするブラケットの支持装置。
【請求項２】
前記中空主体は、
中空パイプ内にスピーカユニットを装着したスピーカ用のキャビネットであること
を特徴とする請求項１に記載のブラケットの支持装置。
【請求項３】
前記中空主体は、
前後方向に貫通する複数の貫通孔を形成するに際し、
前面側に形成される貫通孔の周縁部の一部には所要形状の切欠部を、後面側に形成される貫通孔の内部周縁部には環状凹部が形成されていること
を特徴とする請求項１に記載のブラケットの支持装置。
【請求項４】
前記ホルダは、
一端部にインサートナットが内装され、他端部には回動操作部が形成された円筒体で構成され、回動操作部側の外周部には、前記中空主体の前面側に形成された貫通孔の切欠部を貫通させることができ、かつ一部が中空主体の内周部と密着係合する係合片が形成されていること
を特徴とする請求項１に記載のブラケットの支持装置。
【請求項５】
前記ホルダは、
インサートナットが内装された端面部に、前記中空主体における後面側の貫通孔の内部周縁部に形成された環状凹部で圧潰される断面山形のリング状凸部が、同心円状に形成されていること
を特徴とする請求項１に記載のブラケットの支持装置。
【発明の詳細な説明】
【０００１】
【発明の属する技術分野】
この発明は、中空主体にブラケットを装着することのできる支持装置、具体的には、所要の長さを有するパイプ状の中空主体からなるキャビネット内にスピーカユニットを収容したスピーカを、映像用のディスプレイに装着するためのブラケットの支持装置に関するものである。
【０００２】
【従来の技術】
近時、ブラウン管や液晶に代わる新しい映像用のディスプレイとして、ＰＤＰ（Ｐｌａｓｍａ  Ｄｉｓｐｌａｙ  Ｐａｎｅｌ）と言われる、特殊なガスで電圧をかけて生ずる放電現象で発光する素子を利用したプラズマディスプレイパネルが、次世代ディスプレイとして実用化されている。
【０００３】
このプラズマディスプレイパネル（以下、「ＰＤＰパネル」という。）は、薄型平面テレビとして主に使用されているので、通常、ＰＤＰパネルの左右には、高さとほぼ等しい長さの中空パイプをキャビネットし、その内部にスピーカユニットを装着したスピーカ装置が配置されるが、このスピーカ装置は、音声信号入力用の外部入力線と接続させるためのリード線のみが、キャビネット外に引出されたものが使用されている。
【０００４】
このスピーカ装置を構成するキャビネットは、ＰＤＰパネルの両サイドにスタンド形式で配置される場合もあるが、その多くは、ＰＤＰパネルの両端部にブラケットを介して取付けて使用されるため、キャビネットを構成する中空主体の側面部又は背面部には、ブラケットの一端側をネジなどの固定手段で固定するための支持金具が外付けされ、支持装置とされている。
【０００５】
【発明が解決しようとする課題】
前記の支持金具を外付けする支持装置では、キャビネットの所要の部位にあらかじめ支持金具をネジなどにて取付けた後、この支持金具にＰＤＰパネルに取付けられたブラケットの一端側をネジ止めするため、取付け作業が容易でなく、取付けのための支持金具がキャビネットから突出しているので、外観上も見栄えも良好でなく、しかも、キャビネットとＰＤＰパネルを同一平面状に位置させるには、ブラケットの形状自体を特殊な形状に形成する必要があるとともに、外付けされたブラケット固定用の支持金具にＰＤＰパネルの荷重が直接的に作用するため、支持金具自体に強度が求められ、かつ支持金具の支持強度も確保する必要があるなど実用上解決すべき多くの課題を有している。
【０００６】
この発明はかかる現状に鑑み、外観が良好で、ブラケットの取付け作業が容易に行なえ、しかもブラケットを介して中空主体に作用する負荷を中空主体全体に分散させることのできる、簡易なブラケットの支持装置を提供せんとするものである。
【０００７】
【課題を解決するための手段】
前記の目的を達成するため、この発明の請求項１に記載の発明は、
所要部位の前後方向に、貫通する複数の貫通孔が間隔を存して形成された中空主体と、前記各貫通孔と同軸上の中空主体内に固定されるホルダとからなるものであって、
前記中空主体の後面部にブラケットの一方側を当接させるとともに、ブラケットを貫通させた取付ネジを、中空主体の後面部に開口する貫通孔側から挿入し、前記ホルダにネジ止めすることによって、ブラケットを中空主体に固定できるよう構成されたこと
を特徴とするブラケットの支持装置である。
【０００８】
また、この発明の請求項２に記載の発明は、
請求項１に記載のブラケットの支持装置において、
前記中空主体は、
中空パイプ内にスピーカユニットを装着したスピーカ用キャビネットであること
を特徴とするものである。
【０００９】
また、この発明の請求項３に記載の発明は、
請求項１に記載のブラケットの支持装置において、
前記中空主体は、
前後方向に貫通する複数の貫通孔を形成するに際し、
前面側に形成される貫通孔の周縁部の一部には所要形状の切欠部を、後面側に形成される貫通孔の内部周縁部には環状凹部が形成されていること
を特徴とするものである。
【００１０】
また、この発明の請求項３に記載の発明は、
請求項１に記載のブラケットの支持装置において、
前記ホルダは、
一端部にインサートナットが内装され、他端部には回動操作部が形成された円筒体で構成され、回動操作部側の外周部には、前記中空主体の前面側に形成された貫通孔の切欠部を貫通させることができ、かつ一部が中空主体の内周部と密着係合する係合片が形成されていること
を特徴とするものである。
【００１１】
さらに、この発明の請求項５に記載の発明は、
請求項１に記載のブラケットの支持装置において、
前記ホルダは、
インサートナットが内装された端面部に、前記中空主体における後面側の貫通孔の内部周縁部に形成された環状凹部で圧潰される断面山形のリング状凸部が、同心円状に形成されていること
を特徴とするものである。
【００１２】
【発明の実施の形態】
以下、この発明に係るブラケットの支持装置の好ましい実施の形態を、添付の図１乃至図３を参照して説明するが、この発明は、この実施の形態にのみ限定されるものではなく、その要旨を逸脱しない範囲内において種々変更できることは当然である。
【００１３】
図１乃至図３において、図中、符号１は、この発明のブラケットの支持装置１を示すもので、符号２は、たとえば、ＰＤＰパネルなどの大型の映像表示装置に付設されるスピーカ装置を構成する、所要の径と長さとを有するパイプ状の中空主体からなるキャビネットであって、このキャビネット２は、前面側の平面部４ａが全長にわたって形成され、その余の部位を曲面部４ｂとしたものであって、前記曲面部４ｂに、ＰＤＰパネルに取付けるためのブラケット３が固定され、前記平面部４ａには、合成樹脂などにて形成されたグリル部材４が取付けられるものである。
【００１４】
このキャビネット２は、前側の平面部４ａの略中心域に、上端および下端がそれぞれ凸弧状に形成された細長状のスピーカ装着部５が開口され、このスピーカ装着部５には、スピーカ６が挿入されて取付けられるもので、スピーカ装着部５の上方および下方には、このスピーカ装着部５の幅寸法と略等しい間隔に、互いに離間された一対のネジ孔１１，１２，１３，１４が、それぞれキャビネット２の平面部４ａを貫通して形成されるとともに、キャビネット２内のスピーカ装着部５の後側には、吸音材（図示せず）としてクッション材が取付けられる。
【００１５】
前記スピーカ６は、磁気回路部１５を備え、この磁気回路部１５の前側に接続されたフレーム１７に振動板１６が取付けられ、フレーム１７の四隅には、それぞれ取付孔２１，２２，２３，２４が貫通して形成されたもので、これら取付孔２１，２２，２３，２４は、スピーカ６をスピーカ装着部５に取付けた際、それぞれキャビネット２のネジ孔１１，１２，１３，１４に対応する位置に形成されている。
【００１６】
また、前記取付孔２１，２２，２３，２４には、それぞれ固定手段としてのネジ２５，２６，２７，２８が嵌挿され、これらネジ２５〜２８は、それぞれ取付孔２１〜２４へとネジ止めされることにより、スピーカ６をキャビネット２に固定するものである。
【００１７】
またさらに、キャビネット２のスピーカ装着部５の上下に位置する平面部４ａには、それぞれ略円形状の貫通孔３１が、キャビネット２を前後方向に貫通して形成されているもので、この貫通孔３１は、キャビネット２の幅方向の略中心域に設けられ、この貫通孔３１の一方の開口である前側開口３２および他方の開口である後側開口３３を有している。
【００１８】
これら前側開口３２および後側開口３３は、それぞれキャビネット２の前側および後側、すなわち、反対側に互いに対向して位置し、前側開口３２は後側開口３３よりも大径に形成され、前側開口３２の周縁部の一部には、平面視で凸弧状の切欠部３４が設けられている。
【００１９】
一方、キャビネット２の内側における後側開口３３の周縁には、この後側開口３３と同心円状に環状凹部３５が形成されているもので、この環状凹部３５の外径寸法は、前側開口３２の内径寸法と略等しく形成されている。
【００２０】
この各貫通孔３１には、貫通孔３１と同軸上にホルダ３６が取付けられるもので、このホルダ３６は、図２および図３で明らかなように、略円筒形状に形成されたもので、その外径寸法は、貫通孔３１の前側開口３２の内径寸法よりも若干小さく、長さ寸法は、前側開口３２および後側開口３３間の距離、すなわち、キャビネット２の前後方向の内形寸法より若干長く形成されている。
【００２１】
このため、このホルダ３６は、貫通孔３１の前側開口３２内に挿入可能で、かつ貫通孔３１の後側開口３３からキャビネット２外に突出せず、軸方向の両端部が、それぞれ前側開口３２および後側開口３３のキャビネット２の内側に密着した状態で保持される。
【００２２】
さらに、このホルダ３６の一端側には回動操作部３７が形成され、他端側にはインサートナット４２を保持するための保持孔３８が形成されたもので、前記回動操作部３７は、ホルダ３６を貫通孔３１からキャビネット２内に挿入し、キャビネット２内に固定する際に、図示しないドライバの先端などを挿入し、ホルダ３６を回動させるためのもので、この回動操作部３７側のホルダ３６の外周面には、係合片４１が径方向に突出して形成されている。
【００２３】
この係合片４１は、平面視で凸弧状に形成されたもので、貫通孔３１の前側開口３２の切欠部３４に略沿った形状となっているため、この係合片４１は、貫通孔３１の切欠部３４に挿通可能で、貫通孔３１に取付けられた際に、前側開口３２の切欠部３４が位置しない部分、すなわち、前側開口３２の切欠部３４以外の内周面と係合し、このホルダ３６の貫通孔３１からの抜けを防止している。
【００２４】
またさらに、保持孔３８は平面視で略円形状に形成され、ホルダ３６の軸方向に沿って軸方向の略中心域まで設けられたもので、この保持孔３８には、保持孔３８の内径寸法と略等しい外径寸法を有した略円筒状のインサートナット４２が挿入固定されるもので、このインサートナット４２は、軸方向の寸法が、保持孔３８の深さ寸法よりも若干小さく形成されているため、保持孔３８内に収容保持されている。
【００２５】
このインサートナット４２は、内周面に螺旋状のネジ溝４２ａが形成されたもので、ホルダ３６が貫通孔３１内に取付けられた状態で、後側開口３３と略同心状に、かつ後側開口３３に対向して位置するとともに、前記保持孔３８側のホルダ３６の端面には、数条の断面山形のリング状凸部４３が同心円状に突出して形成され、ホルダ３６を貫通孔３１に取付ける際に、後側開口３３の環状凹部３５に圧接されて圧潰され、後側開口３３の内周縁に沿って形成された環状凹部３５状に密着固定するよう形成されている。
【００２６】
また、キャビネット２の平面部４ａの上端側は、グリル部材４を固定するための取付孔４４が開口し、この取付孔４４は、キャビネット２の平面部４ａにおける貫通孔３１とネジ孔１１，１２との間、ネジ孔１３，１４と貫通孔３１間、およびキャビネット２の下端側にもそれぞれ設けられている。
【００２７】
またさらに、キャビネット２の上端開口部には、上側キャップ４５が接着剤などによって接着固定され、キャビネット２の上端を気密に閉塞するもので、キャビネット２の下端にも、上側キャップ４５と略等しい形状を有した図示しない下側キャップが、接着剤などにて接着固定される。
【００２８】
この下側キャップには、図示しない挿通孔が形成され、図示しないリード線が挿通されるもので、このリード線は、先端側がスピーカ６へと電気的に接続されるとともに、基端側がＰＤＰパネルと電気的に接続され、スピーカ６およびＰＤＰパネルが接続されている。
【００２９】
なお、グリル部材４の後側面、すなわち、キャビネット２に取付けられる側の面には、前記取付孔４４に対応する位置に、略円筒状の係合突部４６が後方向に突出して設けらたもので、グリル部材４の周縁部には、図示しない両面テープが貼付されているので、各係合突部４６に塗布された接着剤および各両面テープにより、グリル部材がキャビネット２の平面部４ａに接着固定される。
【００３０】
なお、図中４７は、グリル部材４に形成された放音口で、キャビネット２に取付けられとき、スピーカ６の前側に位置し、これら放音口４７には、小径の孔が多数設けられたダンパ４８が接着されている。
【００３１】
一方、ブラケット３は、上下方向に長手方向を有した正面視で略矩形状に形成されたもので、キャビネット２の側面寸法よりも小さく形成されている。
【００３２】
このブラケット３は、平板状のディスプレイ取付部５１を備え、このディスプレイ取付部５１を介して、ＰＤＰパネルの側方に取付けられもので、ディスプレイ取付部５１の幅方向におけるＰＤＰパネルと反対側の端には、このディスプレイ取付部５１の面方向に略垂直な、前側へと突出した延在部５２が一体的に連接形成されている。
【００３３】
この延在部５２には、さらにディスプレイ取付部５１と反対側の側方に延在したキャビネット取付部５３が連接形成されたもので、キャビネット取付部５３はキャビネット２の曲面部４ｂと同形に形成され、このキャビネット取付部５３の前側にキャビネット２が取付けられるものである。
【００３４】
また、このキャビネット取付部５３の上端部および下端部には、長孔状に形成された上側挿通孔５４がキャビネット取付部５３を貫通して形成され、同様に、下側部には、下側挿通孔５５がキャビネット取付部５３を貫通して形成されたもので、このブラケット３のキャビネット取付部５３にキャビネット２を取付けた際に、キャビネット２の各貫通孔３１の後側開口３３に対応した位置にそれぞれ形成されている。
【００３５】
これら上側挿通孔５４および下側挿通孔５５には、固定手段としての取付ネジ５７，５８がそれぞれ挿通され、これら取付ネジ５７，５８の先端は、それぞれキャビネット２の各貫通孔３１の後側開口３３に挿入され、ホルダ３６のインサートナット４２へとネジ止めされ、キャビネット２にブラケット３を固定している。
【００３６】
つぎに、上記したブラケットの支持装置１を使用して、キャビネット２をＰＤＰパネルに取付ける一例を説明するが、このブラケットの支持装置１の骨格をなすホルダ３６は、あらかじめキャビネット２内の所定の部位に装着固定され、全体としてスピーカを構成しているものである。
【００３７】
したがって、まず、ＰＤＰパネルの両側に、前記ブラケット３のディスプレイ取付部５１を介してブラケット３を取付けたのち、ブラケット３の後側から、このブラケット３の上側挿通孔５４および下側挿通孔５５に、それぞれ取付ネジ５７，５８を嵌挿し、その先端をキャビネット２の各貫通孔３１の後側開口３３に挿入し、ホルダ３６のインサートナット４２にネジ止めすれば、キャビネット２にブラケット３を固定され、取付作業は完了するものである。
【００３８】
【発明の効果】
この発明のブラケットの支持装置は、ブラケットをネジ固定することのできるホルダを、軸線と直交するよう中空主体に形成された貫通孔の一方の開口から内部に挿入し、このホルダの先端部を他方の開口の内側周縁に当接させて固定するよう構成されているので、ブラケットを貫通する取付ネジを前記ホルダにネジ止めするというきわめて簡単な操作によって、中空主体にブラケットを固定することができる。
【００３９】
特に、この発明のブラケットの支持装置は、中空主体内に固定するホルダを円筒体で形成し、その一端部に取付ネジと係合するインサートナットを設けるとともに、他端部には、ホルダを中空主体内に挿入し、かつ貫通孔と同軸上に固定させるために回動させる回動操作部を形成することによって、ホルダを容易に中空主体内に固定でき、かつブラケットをネジ止めするためのホルダが外部に顕出することがないので、中空主体の外観をスッキリした形状とすることができる。
【００４０】
さらに、ＰＤＰパネルなどの負荷は、ブラケットを介して中空主体に均一に分散されるので、ホルダにのみ集中して負荷が作用せず、長期にわたってブラケットが安定的に中空主体に保持され、ブラケットの固定部が損傷するおそれがないなど実用上多大の効果を奏するものである。
【図面の簡単な説明】
【図１】この発明に係るブラケットの支持装置の一例を示す分解斜視図である。
【図２】同ブラケットの支持装置を構成するホルダの断面図である。
【図３】同ホルダの斜視図である。
【符号の説明】
１          ブラケットの支持装置
２          中空主体からなるキャビネット
３          ブラケット
４          グリル部材
３１        中空主体の貫通孔
３６        ホルダ
５７，５８  取付ネジ
【図１】
0003873207.tif 000002
【図２】
0003873207.tif 000003
【図３】
0003873207.tif 000004